(57)【要約】【課題】衝撃吸収及び内部アクセスのような多機能をもつ携帯用電子機器のための保護ケースを安価で提供する。【解決手段】挿入物が一つ以上の衝撃吸収部と適合するユーザー規定包装体に含まれるアクセス用の穴に挿入するための一つ以上の連結プラグとをもち、該アクセス用の穴が保護ケースを開けずに物品の特徴部位へのアクセスを可能とする壊れ易い物品の収容及び保護のために設計された保護ケース用の衝撃吸収性挿入物、及びこの衝撃吸収性挿入物とユーザー規定包装体とを含む携帯用電子機器のための保護ケース。【選択図】図１
2007518637.tif 000002
【特許請求の範囲】
【請求項１】
壊れ易い物品の収容及び保護のために設計された保護ケース用の衝撃吸収性挿入物であって、挿入物が一つ以上の衝撃吸収部と適合するユーザー規定包装体に含まれるアクセス用の穴に挿入するための一つ以上の連結プラグとをもち、該アクセス用の穴が保護ケースを開けずに物品の特徴部位へのアクセスを可能とすることを特徴とする衝撃吸収性挿入物。
【請求項２】
請求項１記載の衝撃吸収性挿入物とユーザー規定包装体とからなる壊れ易い物品用保護ケースであって、保護ケースが壊れ易い物品に対して衝撃に対応する保護と、アクセス用の穴にプラグをしたときに、水及び埃の密封シールを与えることを特徴とする保護ケース。
【請求項３】
壊れ易い物品が携帯用電子機器である請求項１記載の衝撃吸収性挿入物。
【請求項４】
携帯用電子機器が３５ｍｍカメラ、デジタルカメラ、機器、工具、携帯情報端末（ＰＤＡ）、ウェブタブレット、携帯電話、携帯用パソコン、ポケベル、ゲーム機、電子音楽プレイヤー、録音機、全地球測位システム（ＧＰＳ）である請求項３記載の衝撃吸収性挿入物。
【請求項５】
壊れ易い物品が携帯用電子機器である請求項２記載の保護ケース。
【請求項６】
携帯用電子機器が３５ｍｍカメラ、デジタルカメラ、機器、工具、携帯情報端末（ＰＤＡ）、ウェブタブレット、携帯電話、携帯用パソコン、ポケベル、ゲーム機、電子音楽プレイヤー、録音機、全地球測位システム（ＧＰＳ）である請求項５記載の保護ケース。
【請求項７】
圧縮又は変形して衝撃負荷を吸収するためのエネルギー吸収用ウェブ及びリブ一体形状物、成形止め具、リブ、美的形状物、嵌合リブ、物品の寿命向上のために積極的に適合しそして機能可能な干渉耐性物、又はそれらの組み合わせをさらに含む請求項１記載の衝撃吸収性挿入物。
【請求項８】
ＭＩＬ−ＳＴＤ−８１０Ｆ、表５１６．５−ＶＩの輸送落下テストを２４インチの最小高さで合格する携帯電子機器を収納する請求項２記載の保護ケース。
【請求項９】
約ショア４０Ａと約ショア６５Ｄの間の硬度をもつ成形したエラストマー材料からなる請求項１記載の衝撃吸収性挿入物。
【請求項１０】
熱可塑性ポリウレタンからなる請求項１記載の衝撃吸収性挿入物。
【請求項１１】
衝撃吸収性挿入物とユーザー規定包装体とを緊密適合するように付属物の構造的特徴を設計することによって、請求項１記載の衝撃吸収性挿入物をユーザー規定包装体中に固定する方法。
【請求項１２】
設計の特徴が成型された指状突起とこれに嵌合する溝からなり、指状突起が衝撃吸収性挿入物上にありそして溝がユーザー規定包装体上にあるか、指状突起がユーザー規定包装体上にありそして溝が衝撃吸収性挿入物上にあるか、又はそれらの組み合わせからなる請求項１１記載の方法。
【発明の詳細な説明】
【技術分野】
【０００１】
本発明はシール可能な、特に埃や水のシールが可能な耐衝撃性ケースに関する。
【背景技術】
【０００２】
電子機器の包装体（エンクロージャー））及びハウジングは基本的には製品内容物を保護する目的のケースである。ケースは通常、製品と人間との接点（インターフェース）のベースとなるので、美観、人間工学、重量、装飾性、及びその他の機能が同様に与えられる。この接点は感覚的（視覚的）のみならず、製品使用のベースともなる、例えばユーザーは包装体を付けたまま製品を使用することもある。例えば、携帯用ドリルの場合、ケースはまた工具のハウジングでありそしてそのハウジングは操作者がその工具を使用するために固定するものでもある。結果として、ケースはそれ自身多機能製品でありそしてその設計は全ての必要な機能的な要求を満たすための結果である。
【０００３】
携帯用電子機器の最近の発展は、ウェブタブレット、携帯電話、ビデオ及びカメラ、携帯用パソコン等々のような電子製品のための耐環境性能のための強化補助的なケースの必要性をもたらしてきた。これらの特殊化した二次的な包装体はオフィス用途に設計された製品を屋外の不利な条件下で使用できるようにする。保護ケースに要求される多くの障害のうち、主要な二つは衝撃（落下）と環境（水及び／又は埃）である。保護基能が美観又は人間工学と結びついたときに挑戦が始まる。
【０００４】
伝統的には、船積み用ケースはエネルギー吸収性があるように設計されている。もし、エネルギー吸収性が唯一の要求項目であるなら、一般的にはケースが大きくなるほどエネルギー吸収性であるように設計するのは容易となるので、多くの低コストのオプションが存在する。例えば、フォーム直方体を壊れ易い内容物と箱（ケース）の間の波型箱内に置くとこれらのブロックは高度な衝撃防御を示す。しかしながら、このアプローチは大きなそしてかさばったパッケージをもたらす。もし、耐衝撃性に加えて、ケースが“ユーザーインターフェース”を与えることが必要であれば、このアプローチは典型的には実用よりも非常に大きくなり、感覚的な観点では、それは大きく、扱いにくく、そして醜くさえ見える。ユーザーインターフェースな包装体としては、それは全体としては実用的ではない。結果として、ユーザーに好ましい補助的な包装体はサイズ、嵩、重量を最小化し、そして人間工学を最適化するように強度設計される。
【０００５】
多くの携帯用電子機器は附属の包装体、例えば、保護ケースに収容しながらアクセスを必要とする特徴をもっている。例えば、携帯情報端末（ＰＤＡ）は取り出し可能なメモリーカード、バッテリー、シンクロケーブル、及び／又はパワーケーブルをもっている。しかしながら、典型的な操作条件下では、その保護ケースから製品を取り出さずにこれらの特徴部位を使用又はアクセスすることが望ましい。エネルギー吸収の要求に加えて、アクセスのような機能的な必要性を含ませるためには、これまでは部品の数の増加、設計の複雑性及び保護ケースの製造コスト増を生じてきていた。サイズ、重量、保護性、美観、人間工学、ユーザーアクセス及び／又はより多くが全て要求されるときは、保護ケースはベースの製品それ自体と同じか又はそれ以上の技術を必要とする。この問題に対する従来のアプローチは、携帯用電子機器の保護ケース設計を注文設計としてきたし、不幸にも、このアプローチは時間が掛かりそして費用がかさんでいた。
【発明の開示】
【発明が解決しようとする課題】
【０００６】
本発明の目的は、衝撃吸収及び内部アクセスのような多機能をもつ携帯用電子機器のための保護ケースを安価で提供することである。本発明のさらなる目的は、部品数を少なくしそして衝撃吸収性挿入物の使用を容易にすることである。本発明のさらに別の目的は、一つ以上のユーザー規定包装体に適合可能な衝撃吸収性挿入物を設計することによる多様性を提供することである。
【課題を解決するための手段】
【０００７】
本発明は部品強化と所望の衝撃保護性能が得られる広範囲な用途を可能にする注文生産の容易性との多機能を組み合わせたコスト優位性のある衝撃吸収性挿入物である。本発明の衝撃吸収性挿入物は、持ち運び環境で使用される壊れ易い物品、例えば、カメラ（３５ｍｍ及びデジタル）、機器、工具、ＰＤＡ、ウェブタブレット、ノートパソコン、ポケベル、ゲーム機器、電子音楽プレイヤー、録音機、全地球測位システム（ＧＰＳ）、等々のような携帯用電子機器のための保護ケースを製造するためのユーザー規定包装体に適合する。
【０００８】
一態様においては、本発明は、壊れ易い物品の収容及び保護のために設計された保護ケース用の衝撃吸収性挿入物であって、挿入物が一つ以上の衝撃吸収部と適合するユーザー規定包装体に含まれるアクセス用の穴に挿入するための一つ以上の連結プラグとをもち、該アクセス用の穴が保護ケースを開けずに物品の特徴部位へのアクセスを可能とすることを特徴とする衝撃吸収性挿入物である。
【０００９】
別の態様においては、本発明は、本発明の衝撃吸収性挿入物とユーザー規定包装体とからなる壊れ易い物品用保護ケースであって、保護ケースが壊れ易い物品に対して衝撃に対応する保護と、アクセス用の穴にプラグをしたときに、水及び埃の密封シールを与えることを特徴とする保護ケースである。
【００１０】
別の態様においては、衝撃吸収性挿入物は成型ポリマー材料、好ましくは、熱可塑性エラストマー又は熱硬化性エラストマー、好ましくは熱可塑性ポリウレタンのような硬度が低く、高弾性のポリマー材料からなる。
【００１１】
本発明の別の態様は、衝撃吸収性挿入物とユーザー規定包装体とを緊密適合するような付属物、例えば、成型指状突起とこれに嵌合する溝からなり、指状突起が衝撃吸収性挿入物上にありそして溝がユーザーの規定する包装体上にあるか、指状突起がユーザーの規定する包装体上にありそして溝が衝撃吸収性挿入物上にあるか、又はそれらの組み合わせからなる付属物の構造的特徴を設計することによって、衝撃吸収性挿入物をユーザー規定包装体中に固定する方法である。
【００１２】
さらなる本発明の態様においては、衝撃吸収性挿入物の衝撃吸収部は、圧縮又は変形して衝撃負荷を吸収するためのエネルギー吸収用ウェブ及び一体リブ形状物、成形止め具、リブ、美的形状物、嵌合リブ、及び物品の寿命向上のために積極的に適合しそして機能可能な干渉耐性物、又はそれらの組み合わせをさらに含む。
【００１３】
通常の射出成型技術を用いて挿入物を容易に製造でき且つ開放及び閉塞操作可能に作ることが本発明のさらに別の態様である。
【００１４】
本発明の別の態様は、ユーザー規定包装体に与えられる耐衝撃性改良を示すユーザー規定包装体に挿入された本発明の衝撃吸収性挿入物、及びその中に収納された、ＭＩＬ−ＳＴＤ−８１０Ｆ、表５１６．５−ＶＩの輸送落下テストを２４インチの最小高さで合格するのに十分な電子製品、からなる携帯用電子機器用の保護ケースである。
【発明の効果】
【００１５】
本発明により、収納された携帯用電子機器を衝撃に対して良好に保護する部品強化と注文生産が容易であるという複数の機能を組み合わせたコスト優位性のある衝撃吸収性挿入物を提供することができる。
【００１６】
本発明の衝撃吸収性挿入物及びそれとユーザー規定包装体とを含む本発明の保護ケースは、挿入物単独でのエネルギー吸収特性の煩雑な設計を可能にしながら、各製品に必要な複雑な設計レベルを低減させることができる。
【発明を実施するための最良の形態】
【００１７】
図１に示される衝撃吸収性挿入物１は、外側面２及び内側面３をもっている。さらに、衝撃吸収性挿入物は一つ以上の衝撃吸収部４及び一つ以上の連結プラグ５をもっている。挿入物の外側面の少なくとも一部分、例えば衝撃吸収部分はユーザー規定包装体２０の外面２１内に緊密適合するように設計される。ユーザー規定包装体は頂部２２及び底部２３からなり、それぞれが内面２４をもっている。衝撃吸収性挿入物を含むユーザー規定包装体は携帯用電子機器４０の保護ケース３０を構成している（図４）。
【００１８】
好ましくは、衝撃吸収性挿入物の外側面はユーザー規定包装体の内側面にきっちりと嵌らなければならない。ユーザー規定包装体にきっちりと挿入するための如何なる手段も許容でき、例えば、それは接着、ファスナー、機械的手段、又はそれらの組み合わせによって固定することができる。機械的手段の例は図１に示される。挿入物は、挿入物の外側面にある溝に嵌合するユーザー規定包装体の内側面に成型されている指状突起２５によって固定される。替わりに、溝が、ユーザー規定包装体の内側面にありそして指状突起が挿入物の外側面にあってもよく、又はそれぞれの面が一つ以上の溝、一つ以上の指状突起をもっていてもよく、又はそれらの如何なる組み合わせをもっていてもよい。
【００１９】
携帯用電子機器が保護ケース内に収納されるときには、衝撃吸収性挿入物の内側面にきっちりと嵌らなければならない。挿入物の外側面は好ましくは、（１）携帯用電子機器が、ユーザー規定包装体の内側面及び／又は落下衝撃時に地面に接触するのを防止するための隙間を与え、そして（２）そのような落下から生ずるエネルギーを吸収する一体化リブ及び突き出し形状物７をもっている。さらに、衝撃吸収性挿入物は、一つ以上の成形止め具、リブ、アクセス用の穴、美的形状物、連結プラグ、嵌合リブ、又は物品の寿命向上のために積極的に適合しそして機能可能な干渉耐性物をもっていてもよい。そのような構造的特徴は、携帯用電子機器及び末端製品ニーズに基づく特定の機能のために設計される。
【００２０】
好ましくは、衝撃吸収性挿入物は、衝撃を受けたときに壊れるのを避けそして、なおそれが保護すべき携帯用電子機器に損傷を与えずにそのような落下から生ずるエネルギーを吸収できるだけの十分な構造をもっていなければならない。挿入物は、落下又はその他の衝撃が起こって押しつぶされた後でその元の位置を回復できるように適切な曲げ疲労抵抗をもっていることが好ましい。ユーザー規定包装体内の携帯用電子機器の望ましくない動きを最小化するように通常の使用過程でユーザー規定包装体内のその位置を維持できるのに十分な堅さがなければならない。
【００２１】
好ましくは、衝撃吸収性挿入物は、良好な耐溶媒性と、時間が経つとたわんだり巻きついたりしないような良好な長時間クリープ特性をもっていなければならない。さらに、衝撃吸収性挿入物は広範囲の気候条件、好ましくは−４０°Ｆ（−４０℃）から１２０°Ｆ（４９℃）でその性能を発揮できるだけの十分な耐熱性をもっていることが好ましい。収納された携帯用電子機器は同様の熱的問題を生ずるので、衝撃吸収性挿入物は変形や性能の低下なしでこれらの熱的問題に耐えなければならない。
【００２２】
図２に示されるように、連結プラグ５は衝撃吸収性挿入物の衝撃吸収部分と一体となる。それはプラグ部分９及び連結用部分１０からなっている。プラグ部分は外側面１１と内側面１２をもっている。連結プラグはユーザー規定包装体の開口部又はアクセス用の穴２６を最初は通過しそしてそれから開口部又はアクセス用の穴２６に抱き込むように戻して嵌合する。ユーザー規定包装体／保護ケースを開けなくても、アクセス用の穴はユーザー規定包装体／保護ケースの外側からユーザー規定包装体／保護ケースの内部に置かれた携帯用電子機器にアクセスすることを可能にする（例えば、メモリーカードの取り出し、バッテリーの交換、シンクロケーブルの取り付け／取り外し、イヤホーンジャックの抜き差し、パワーケーブルの抜き差しを可能にする）。プラグはユーザー規定包装体内側面上にある挿入物の衝撃吸収部に、ユーザー規定包装体の開口部を通過する連結器によって接続する一方で、ユーザー規定包装体から差し込み及び取り外し可能なように設計されている。ユーザー規定包装体の外側面から、アクセス用の穴にプラグが差し込まれているときは、水及び埃からきっちりとシールされることが好ましい。衝撃吸収性挿入物は、保護ケース内に収納されている携帯用電子機器の特定の要求に応じて、ユーザー規定包装体内の複数のアクセス用の穴をシールするのに適した複数の連結プラグをもっていてもよい。
【００２３】
好ましくは、衝撃吸収性挿入物は、一体構造（衝撃吸収部、連結部、プラグ、等々）の厚みが好ましくは約１ｍｍ以上、より好ましくは約１．５ｍｍ以上そして最も好ましくは約２ｍｍ以上で、見かけ上の壁厚みが約２ｍｍ以上で、成型される。見かけ上の壁厚みと一体構造の壁厚みの最大値は、特定の包装体及び携帯用電子機器のために何が実用的であるかによって規定されるだけであるが、一般的には、約２５ｍｍ以下、好ましくは約１２ｍｍ以下、そして最も好ましくは約６ｍｍ以下である。
【００２４】
衝撃吸収性挿入物は、（１）必要な幾何学的デザインで作ることができそして（２）ユーザー規定包装体に挿入するときに広範囲の環境で時間が経過してもその形状を保持することができるポリマー材料から製造することができる。好ましくは、ポリマー材料は熱可塑性又は熱硬化性エラストマーである。好適なエラストマーとしては、例えば、非特許文献１及び非特許文献２に記載されている。
【００２５】
衝撃吸収性挿入物は、低モジュラスで高弾性の、如何なる熱可塑性又は熱硬化性エラストマープラスチックからも製造することができる。好ましくは、衝撃吸収性挿入物は、約ショア４０Ａと約ショア６５Ｄの間の硬度をもつ材料から製造される。
【００２６】
好ましくは、挿入物はポリアミド（ＰＡ）；ポリウレタン（ＰＵ）；低密度ポリエチレン（ＬＤＰＥ）のようなポリエチレン（ＰＥ）、ポリプロピレン（ＰＰ）、エチレンビニルアセテートコポリマー（ＥＶＡ）、エチレンプロピレンコポリマー（ＥＰ）、ダウケミカル社から市販されている商標名エンゲージのようなポリエチレンとα−オレフィンとのコポリマー、熱可塑性ポリオレフィン（ＴＰＯ）のようなポリオレフィン（ＰＯ）；塩化ビニル（ＰＶＣ）；ポリエステル；ポリシロキサン；及びそれらの混合物から製造される。好ましくは、衝撃吸収性挿入物は、ダウケミカル社から市販されている商標名ペレタン２１０２−７５Ａポリウレタンのような熱可塑性ポリウレタン（ＴＰＵ）から製造される。
【００２７】
本発明の衝撃吸収性挿入物は、射出成型、トランスファー成型、反応射出成型、又は液体射出成型を含む如何なる公知の成型プロセスによっても製造することができる。
【実施例】
【００２８】
以下の実施例は本発明の態様を例証するためのものであり、本発明の範囲を限定する意図でなされたものではない。
【００２９】
ペレタン２１０２−７５Ａ  熱可塑性ポリウレタン樹脂を、見かけの壁厚み２ｍｍで２１８ｍｍｘ３０ｍｍｘ３７ｍｍサイズの衝撃吸収性挿入物形状をもつ所望の幾何学的成型キャビティー内で射出成型した。このデザインは、携帯用電子機器、二つのアクセス用の穴をもつユーザー規定包装体及びエネルギー吸収構造（リブ、スタンドオフ、及び指状突起）をもつ衝撃吸収性挿入物とアクセス用の穴のための二つの連結プラグ間との適合機能を組み合わせた結果である。正確な機能のために必要な全ての幾何学的構造は部品中にデザインされ、それによって製造される全ての部品に必要な幾何学的構造を再現する金型に移される。部品の製造は、金型が開けられるたびに完全な衝撃吸収性挿入物が射出されるようにする。衝撃吸収性挿入物は、一体成型物品中に必要な衝撃吸収構造と連結プラグの全てを含んでいる。
【００３０】
ペレタン２１０２−７５Ａ  ＴＰＵ樹脂は８０℃−９５℃の間の温度で乾燥されそして成形条件は２００℃−２１５℃の間の溶融温度で１５℃−６０℃の間の成型温度である。エンジェル２５ｍｍ単軸射出成形機を使用する。
【００３１】
得られた衝撃吸収性挿入物を頂部と底部をもつユーザー規定包装体（ペレタン２１０２−７５Ａ  ＴＰＵ樹脂から成型されたもの）内で、衝撃吸収性挿入物が頂部に置かれそしてユーザーが規定する保護機能をもつ包装体の頂部の窪みに合致するように置く。携帯用電子機器、例えばウェブタブレットはユーザーが規定する保護機能をもつ包装体内に置かれそして衝撃吸収性挿入物にきっちりと嵌る。ユーザー規定包装体内のアクセス用の穴は電子機器の特徴部位にアクセスできるように並びそして衝撃吸収性挿入物の連結プラグがこれらのアクセス用の穴に挿入されたときは、水及び埃が緊密にシールされる。
【００３２】
ユーザー規定包装体の頂部はユーザー規定包装体の底部と対になっている。このようにして得られた保護ケースは、収納される携帯用電子機器に、水や埃の遮断、衝撃に対する保護、及びユーザー規定包装体内の特徴部位へのアクセスを可能にする。
【００３３】
携帯用電子機器、ユーザー規定包装体、及び衝撃吸収性挿入物を含むこの保護ケースに対してＭＩＬ−ＳＴＤ−８１０Ｆ、表５１６．５−ＶＩの輸送落下テストを行うと２４インチの最小値で合格した。
【００３４】
表５１６．５−ＶＩテスト議定書は：
・合格するためには、ユニットは、携帯用電子機器に損傷（機能的な使用が損なわれるときと定義されている）を与えずに特定の高さから２６回落下させても生き残らなければならない。
【００３５】
・５個までのユニットが２６回の落下テストを行うために使用できる。
【００３６】
・各落下高さ（２４インチ（７０ｃｍ）、３０インチ（７６ｃｍ）、３６インチ（９１ｃｍ）、４２インチ（１０７ｃｍ）、４８インチ（１２２ｃｍ）、等々）に対して５個の別々のユニットを使用する。
【００３７】
・ユニットは２層の０．５インチベニヤ板で覆われたコンクリート上に落下させる。
【００３８】
・落下シーケンス：
１．６面をそれぞれ３回落下させる（合計１８回の落下）。これらの落下を３個のユニットに対してｑ均等に行う。
【００３９】
２．四つの角をそれぞれ２回落下させる（合計８回の落下）。
【００４０】
３．もし２６回の落下テストに合格すれば次の落下レベルを繰り返す。
【００４１】
上述の実施例からわかるように、本発明は、収納された携帯用電子機器を衝撃に対して良好に保護する部品強化と注文生産が容易であるという複数の機能を組み合わせたコスト優位性のある衝撃吸収性挿入物を提供することができる。
【非特許文献１】Ｂｉｌｌｍｅｙｅｒ，Ｆ．，Ｔｅｘｔｂｏｏｋ  ｏｆ  Ｐｏｌｙｍｅｒ  Ｓｃｉｅｎｃｅ，Ｉｎｔｅｒｓｃｉｅｎｃｅ  Ｐｕｂｌｉｓｈｅｒｓ，Ｎｅｗ  Ｙｏｒｋ，Ｎ．Ｙ．（１９６５）
【非特許文献２】Ｋｉｒｋ−Ｏｔｈｍｅｒ  Ｓｃｉｅｎｃｅ  ｏｆ  Ｃｈｅｍｉｃａｌ  Ｔｅｃｈｎｏｌｏｇｙ  ４ｔｈ  Ｅｄ，Ｊｏｈｎ  Ｗｉｌｅｙ  ＆  Ｓｏｎｓ，Ｎｅｗ  Ｙｏｒｋ，Ｎ．Ｙ．（１９９３）
【産業上の利用可能性】
【００４２】
本発明は、３５ｍｍカメラ、デジタルカメラ、機器、工具、携帯情報端末（ＰＤＡ）、ウェブタブレット、携帯電話、携帯用パソコン、ポケベル、ゲーム機、電子音楽プレイヤー、録音機、全地球測位システム（ＧＰＳ）のような携帯用電子機器の保護ケース及びそれに使用する衝撃吸収性挿入物として有用である。
【図面の簡単な説明】
【００４３】
【図１】図１は衝撃吸収性挿入物と適合するユーザー規定包装体からなる携帯用電子機器保護ケース内側の分解透視図である。
【図２】図２は衝撃吸収性挿入物と適合するユーザー規定包装体からなる携帯用電子機器保護ケース外側の分解透視図である。
【図３】図３は衝撃吸収性挿入物と適合するユーザー規定包装体からなるウェブタブレットとその保護ケースの分解透視図である。
【図４】図４は衝撃吸収性挿入物と適合するユーザー規定包装体からなる保護ケースの透視図である。
【図１】
2007518637.tif 000003
【図２】
2007518637.tif 000004
【図３】
2007518637.tif 000005
【図４】
2007518637.tif 000006
【国際調査報告】
2007518637.tif 000007
2007518637.tif 000008
2007518637.tif 000009